(57)【要約】【課題】濾過時そして逆洗時においても強度を有し、安価で、濾過のためのフィルタの総合透孔率が大きく、逆洗流を濾過材の内面直近かつ内面で行え、バラスト水中の生物を捕捉する濾過体と、これを有する濾過装置そして海水処理装置の提供を課題とする。【解決手段】筒状の濾過材２１が支持体２０で支持され軸線Ｘ方向両端を開口部１７Ｃ；１８Ｃとする濾過体６であって、濾過時に開口部から原水が流入し濾過材を透過して濾過水として濾過体の周面から外方へ排水され、逆洗時には濾過体外の逆洗水が濾過体の周面から流入して濾過材の内面の付着物を剥離し開口部１７Ｃから排水され、支持体２０は、軸線方向両端で開口部が形成された端部支持筒１７；１８と、両端部支持筒の外周部同士を接続し複数の孔部が穿設された筒状の支持材１９とを有し、支持体２０は、支持材１９外周面と濾過材２１内面との間に０．１〜２．０ｍｍの半径方向間隙を設けている。【選択図】図２
2014004571.tif 000002
【特許請求の範囲】
【請求項１】
筒状をなす濾過材が支持体により支持され中心軸線方向両端を開口部とする濾過体であって、濾過時に上記開口部から原水が流入し上記濾過材を透過して濾過水として濾過体の周面から外方へ排水され、さらに逆洗時には、濾過体外の逆洗水が濾過体の周面から内部へ流入して濾過材の内面の付着物を剥離し上記開口部から排水されることとする濾過体において、支持体は、上記中心軸線方向両端のそれぞれで開口部が形成された端部支持筒と、両端部支持筒の外周部同士を接続し複数の孔部が穿設された筒状の支持材とを有し、該支持体は、支持材外面と濾過材内面との間に０．１〜２．０ｍｍの間隙を設けて濾過材を支持していることを特徴とする濾過体。
【請求項２】
支持体が中心軸線方向中間位置に中間仕切部を有し、該中間仕切部により、濾過体内部空間を上記中心軸線方向一端側と他端側の空間に二分していることとする請求項１に記載の濾過体。
【請求項３】
濾過材は、内層と外層から成る金属メッシュフィルタで形成され、内層フィルタの目開きが濾過目的物を捕捉するのに適した目開きであり、外層フィルタの目開きが内層フィルタの目開きより大きい目開きであることとする請求項１又は２に記載の濾過体。
【請求項４】
金属メッシュフィルタは、内層フィルタの目開きが３０〜１００μｍ、そして外層フィルタの目開きが３００〜３０００μｍである金属メッシュフィルタであることとする請求項３に記載の濾過体。
【請求項５】
金属メッシュフィルタは、内層と外層とが焼結により一体となっていることとする請求項４に記載の濾過体。
【請求項６】
請求項１ないし請求項５のうちのいずれか一つに記載の濾過体と、板状をなしその板面に直角な中心軸線まわりの周方向複数位置に上記濾過体を該濾過体の開口端で保持し板厚方向に貫通せる通孔が上記濾過体の開口部を介して該濾過体の内部と連通する位置で濾過体の両端の開口部のそれぞれを対向する一方の板面同士間で保持する二つの基板と、上記複数の濾過体を基板で保持して成る組立体を収容する容器と、上記基板の他方の板面側に位置して容器内に設けられた逆洗管を駆動する逆洗機構とを有し、容器内の空間を二つの基板の一方の板面同士間に位置する第一室と、二つの基板のそれぞれの他方の板面の側に位置する二つの第二室とに区分し、二つの第二室を連通する連通管が設けられており、上記容器には一方の第二室に連通する原水導入管と第一室に連通する濾過水排出管口が設けられていると共に上記逆洗管に連通する逆洗水排出管が容器外へ延出して設けられていることを特徴とする濾過装置。
【請求項７】
請求項６に記載の濾過装置と、海水取水ラインと、処理水送水ラインとを有し、海水取水ラインで取水された海水を濾過装置で濾過し、濾過後の濾過水を処理水として処理水送水ラインを経てバラストタンクに送水するようになっていることを特徴としている海水処理装置。
【発明の詳細な説明】
【技術分野】
【０００１】
本発明は、大量の原水としての海水を濾過する濾過装置、特に、船舶のバラストタンクに積み込まれるバラスト水として取水される海水に含まれる生物を効率的に捕捉除去するための濾過体そしてこれを有する濾過装置及び海水処理装置に関する。
【背景技術】
【０００２】
一般に、空荷または積荷が少ない状態の船舶は、プロペラ没水深度の確保、空荷時における安全航行の確保等の必要性から、荷下し時にバラストタンクに海水がバラスト水として注水される。逆に、積荷をする場合には、バラスト水が海中へ排出される。ところで、環境の異なる荷積み港と荷下し港との間を往復する船舶により、バラスト水の取水および排水が行われると、バラスト海水に含まれる細菌類やプランクトンなどの生物が持ち込まれることにより、沿岸生態系に悪影響を及ぼすことが懸念される。そこで、２００４年２月、船舶のバラスト水管理に関する国際会議において、船舶のバラスト水および沈殿物の規制および管理のための国際条約が採択され、バラスト水の処理が義務付けられることになった。
【０００３】
バラスト水の処理基準として国際海事機構（ＩＭＯ）が定める基準によれば、船舶から排出されるバラスト水に含まれる５０μｍ以上の生物（主に動物プランクトン）の数が１ｍ３中に１０個未満、１０μｍ以上５０μｍ未満の生物（主に植物プランクトン）の数が１ｍＬ中に１０個未満、コレラ菌の数が１００ｍＬ中に１ｃｆｕ未満、大腸菌の数が１００ｍＬ中に２５０ｃｆｕ未満、腸球菌の数が１００ｍＬ中に１００ｃｆｕ未満、にするように規定されている。
【０００４】
バラスト水の処理技術の従来技術として特許文献１〜５では、バラスト水を排出する際にバラスト水中に含まれる有害プランクトンまたは有害藻類のシストを薬剤、紫外線、超音波、オゾンなどを用いて殺菌する殺菌処理方法が提案されている。
【０００５】
しかし、それらの殺菌処理の効果は、海水中の生物の種類、大きさなどによって変わるので、海水を予め濾過装置により濾過して比較的大型のプランクトンを捕捉して除去し、小型のプランクトンと細菌に対して殺菌処理を施すことにより死滅させる手法が提案されている（特許文献６）。
【０００６】
そして、バラスト水の処理の際には、バラスト水の取水時であれ、排水時であれ、船舶渡航中であれ、あるいはその他の場合であれ、より短時間でこれを行うことが求められるのが常であるので、濾過装置により生物を捕集する際には短時間で大量の濾過処理が可能な濾過装置が望まれる。そこで特許文献７では、大量処理が可能なように複数の濾過体を備えて濾過面積を大きくすると共に、装置内部に熱を加えて高温状態とする加熱手段を設けて残留生物を殺滅させることとした濾過装置が提案されている。上記特許文献７では、濾過体は、軸線方向で一端が開口し周面が通水可能な円筒状をなし、海水はこの開口から導入され、周面で濾過されて該周面外に排出される。この濾過体は、定間隔で突起が形成された金属製の細い線材（ノッチワイヤ）を筒状枠体の周囲にコイル状をなすように密に巻回して円筒状として、各巻回で隣接するノッチワイヤ間で突起によって目開きを形成するノッチワイヤフィルタとしている。このノッチワイヤフィルタは、線材としてのノッチワイヤが金属製であるため、濾過時そして逆洗時においても十分な強度を発揮する。
【０００７】
また、短時間で大量の濾過処理が可能であり、さらに、濾過材の洗浄を効率的に行うことのできる濾過装置として、特許文献８に濾過体の両端から逆洗を行う機構を備えた濾過装置が提案されている。特許文献８の濾過装置は、長い円筒体をなしその軸線方向両端部を開放した多数の平行な濾過体と、原水を受け入れる入口及び濾過水を排出する出口が設けられていると共に上記濾過体を収容する容器とを有し、原水は容器内で濾過体の内部から外部へ向かう流れにより濾過され、さらに濾過装置は、複数の濾過体のうちの一部の濾過体に対し互いに異なる濾過体の一端と他端に位置する逆洗浄機構をも備え、この逆洗浄機構が、互いに異なる濾過体の端部に交互に接続するように位置して、濾過体内部の圧力が、濾過体外部の濾過済みの濾過水の圧力より低くなるようにして、濾過体の外部から内部へ向かう逆洗流を発生させ、濾過体の内部に付着した濾過残渣を剥離し逆洗し、濾過残渣が容器の逆洗水排出口から排出されるようにしている。さらに、各濾過体がその端部間で上空間と下空間に二分割されるように中間仕切部を備え、互いに異なる濾過体の一端と他端に接続された逆洗浄機構が、上記異なる濾過体の上空間と下空間にそれぞれ接続されて、該上空間と下空間へそれぞれに逆洗流を発生させる。濾過体の分割された上空間と下空間が機能的に互いに独立しているため、濾過体の上空間と下空間の一方で逆洗流による逆洗浄を行うと同時に、他方で濾過が継続する。濾過体の両端から逆洗を行う機構を備えることにより、濾過体の一端からのみ逆洗を行う場合には、他端側に濾過残渣が残り目詰まりが生じることを改善している。
【０００８】
濾過体の内部空間を二分割する中間仕切部には分割された上空間と下空間の間で少量の連通流を通過させる連通開口が形成されている。この連通開口の目的は、逆洗時に中間仕切部近傍は逆洗浄機構との接続部から離れているため逆洗流の勢いが小さく十分な逆洗浄が行えず濾過材に濾過残渣が残り目詰まりが生じるため、連通流により中間仕切部近傍に逆洗流の勢いを補う流れを生じさせ逆洗浄能力を補うためである。
【先行技術文献】
【特許文献】
【０００９】
【特許文献１】特開平０４−３２２７８８号公報
【特許文献２】特開２００１−２９３４７４号公報
【特許文献３】特開２００８−５５３５２号公報
【特許文献４】特開２００５−２１８１４号公報
【特許文献５】特開２０１０−５８０８０号公報
【特許文献６】特開２００６−２４８５１０号公報
【特許文献７】特開２００９−０６６５３３号公報
【特許文献８】ＷＯ２００７／０６２７６３
【発明の概要】
【発明が解決しようとする課題】
【００１０】
＜１＞＜ノッチワイヤフィルタの経済性の問題＞
しかしながら、ノッチワイヤフィルタの経済性に関して、改善が求められている。先ず、ノッチワイヤフィルタは、上板と下板をそれらの周縁部で連結する柱状の複数の支持材の周囲にノッチワイヤを螺旋状に巻回し、該ノッチワイヤの一端を上板、そして他端を下板に固着する構造となっていて、ノッチワイヤは上板そして下板と完全に一体化している。したがって、低下した濾過体の濾過性能の回復のためには、濾過体全体を新しいものと交換しなくてはならない。これは経済的に不利である。
【００１１】
さらには、ノッチワイヤフィルタは、市販のフィルタ濾布を用いるのと異なり、濾過体毎に、上述の構造の支持材にノッチワイヤを正確に巻回して一体化した濾過体を製造しなくてはならず、製造コストが高くなる。
【００１２】
＜２＞＜支持体に当接する濾過材部分の問題＞
濾過材であるフィルタエレメント（ノッチワイヤ、メッシュシート材）の支持体（リテーナ、エレメント保持器ともいう）への装着方法として、従来方法としては、ノッチワイヤ式フィルタであればノッチワイヤをリテーナへ巻きつける方式であり、メッシュフィルタであれば、メッシュシート材をリテーナの周りに密着させる構造であった。
【００１３】
この方法では、リテーナとフィルタエレメントが密着するので、リテーナの支持部である構造部分（支持体として例えばパンチングメタルを用いる筒体の場合には開孔以外の部分）に当接するフィルタエレメント部分には濾過する原水が透過しないため濾過可能な有効濾過部とはならないので、総合的に有効濾過面積率が低下する。従って、濾過処理量を確保するためには濾過体が多数必要になっている。
【００１４】
＜３＞＜両方向逆洗機構の中間仕切部の問題＞
特許文献８の濾過体の両端から逆洗を行う機構を備えた濾過装置において、濾過体の中間仕切部に連通開口が設けられていて、中間仕切部から連通流がフィルタエレメントの内面近傍に流れ、逆洗流の勢いを補う流れを生じさせるようになっている。この連通流が十分な量でない場合や連通流の流れる方向が適切でない場合には、逆洗流の勢いを補う流れを適切に生じさせることができず、濾過体に濾過残渣が残り目詰まりすることや連通開口が目詰まりすることが生じ問題が生じる。
【００１５】
本発明は、かかる事情に鑑み、濾過時そして逆洗時においても十分な強度を有し、安価に製造でき、フィルタエレメントがリテーナで支持されても濾過のための有効濾過面積率を大きく確保し、逆洗流の勢いを補う流れを確実に生じさせる濾過体を提供し、さらには、バラスト水として取水された水中の生物を捕捉し除去するために好適な濾過体を有する濾過装置そして海水処理装置を提供することを課題とする。
【課題を解決するための手段】
【００１６】
＜濾過体及び濾過装置＞
本発明の濾過体は、第一形態として、筒状をなす濾過材がその内部に設けられた支持体により支持され中心軸線方向両端を開口部とする濾過体であって、濾過時に上記開口部から原水が流入し上記濾過材を透過して濾過水として濾過体の周面から外方へ排水され、さらに逆洗時には、濾過体外の逆洗水が濾過体の周面から内部へ流入して濾過材の内面の付着物を剥離し上記開口部から排水されることとする濾過体において、支持体は、上記中心軸線方向両端のそれぞれで開口部が形成された端部支持筒と、両端部支持筒の外周部同士を接続し複数の孔部が穿設された筒状の支持材とを有し、該支持体は、支持材外面と濾過材内面との間に０．１〜２．０ｍｍの間隙を設けて濾過材を支持していることを特徴とする。
【００１７】
第二形態では、第一形態の濾過体において、支持体が中心軸線方向中間位置に中間仕切部を有し、該中間仕切部により、濾過体内部空間を上記中心軸線方向一端側と他端側の空間に二分している。
【００１８】
第三形態では、第一又は第二形態において、濾過材は、内層と外層から成る金属メッシュフィルタで形成され、内層フィルタの目開きが濾過目的物を捕捉するのに適した目開きであり、外層フィルタの目開きが内層フィルタの目開きより大きい目開きとしている。
【００１９】
第四形態では、第三形態において、金属メッシュフィルタは、内層フィルタの目開きが３０〜１００μｍ、そして外層フィルタの目開きが３００〜３０００μｍである金属メッシュフィルタである。
【００２０】
第五形態では、第四形態において、金属メッシュフィルタは、内層と外層とが焼結により一体となっている。
【００２１】
本発明の濾過装置は、第六形態として、上述の第一ないし第五形態のいずれか一つに記載の濾過体と、板状をなしその板面に直角な中心軸線まわりの周方向複数位置に上記濾過体を該濾過体の開口端部で保持し板厚方向に貫通せる通孔が上記濾過体の開口部を介して該濾過体の内部と連通する位置で濾過体の両端の開口部のそれぞれを対向する一方の板面同士間で保持する二つの基板と、上記複数の濾過体を基板で保持して成る組立体を収容する容器と、上記基板の他方の板面側に位置して容器内に設けられた逆洗管を駆動する逆洗機構とを有し、容器内の空間を二つの基板の一方の板面同士間に位置する第一室と、二つの基板のそれぞれの他方の板面の側に位置する二つの第二室とに区分し、二つの第二室を連通する連通管が設けられており、上記容器には一方の第二室に連通する原水導入管と第一室に連通する濾過水排出管が設けられていると共に上記逆洗管に連通する逆洗水排出管が容器外へ延出して設けられていることを特徴としている。
【００２２】
このような構成の本発明の濾過体を有する濾過装置によると、海水等の原水は、原水導入管から容器の第二室へ導入され、基板の通孔を経て該濾過体内に入り、該濾過体の支持材に形成された複数の孔部そして該支持材の外面上に配された濾過材を透過して濾過水が第一室に至り、ここから濾過水排出管を経て容器外に取り出される。この間に原水中の濾過目的物が濾過され、濾過材の内面に濾過残渣が付着する。
【００２３】
一方、逆洗機構の逆洗管が位置している濾過体では、逆洗管が在るために、第二室から該濾過体へは原水が流入できず、逆に、第一室から上記支持材の外周面上の濾過材そして支持材の孔部を透過して逆洗水が濾過体内へ入り込む。その際、逆洗水は濾過材の内面に付着している濾過残渣を剥離除去する。そして、逆洗水は該濾過残渣を伴って逆洗管を経て逆洗水排出管から容器外へ排出される。逆洗管は中心軸線まわりに回転するので、この逆洗管が位置する対象濾過体は順次変わって行き、したがって、原水の濾過を行いつつ、常に濾過体を次々に逆洗することとなる。
【００２４】
本発明の濾過体の濾過材を形成する金属メッシュフィルタ（金属メッシュフィルタエレメントともいう）は、予め筒状に形成しておき、支持体（リテーナともいう）外面より０．１〜２．０ｍｍの間隙を形成する内面形状とする。この間隙により、濾過材へ支持体を挿入することができ、その後、濾過材の両端部を支持体に固定する。この固定には、両端での限られた小域のみで十分であり、この間隙を設けることにより、濾過材と支持体は両端部以外の殆ど全域で密着しないので、端部以外で濾過材はほぼ全面積が濾過面積として有効に機能する。
【００２５】
この間隙を設けることにより、上下交互逆洗浄操作において中間仕切部近傍で逆洗流の勢いを補う流れを生じさせるために必要な連通流がこの間隙を通過することで確保できる。この連通流は濾過材内の全周において均等で、濾過材の直近を流れるので、連通流により逆洗流の勢いを補う流れを生じさせ逆洗浄性能を補う効果が高い。また、本発明の濾過体の構造が単純であり、製造コストを低くすることができる。
【００２６】
本発明における濾過体における濾過材は、好ましい形態として、内層そして外層から成る金属メッシュフィルタで形成される。内層フィルタの目開きが濾過目的物を捕捉するのに適した目開きであり、外層フィルタの目開きが内層フィルタの目開きより大きい目開きである。目開きの小さい内層フィルタが濾過可能な物の大きさ、すなわち濾過性能を決定する。濾過時に外層フィルタが内層フィルタを支持し伸長変形による破損を防止し保護し、逆洗時に支持材が内層フィルタを支持し収縮変形による破損を防止し保護する。さらに、濾過材は、海水に対して耐食性の高い耐食金属製メッシュの金属メッシュフィルタを用いることにより、海水による腐蝕という問題を生じない。
【００２７】
上記濾過材では、原水を濾過する時には内側から外側に向け原水が透過され、逆洗時には外側から内側に向け逆洗水が透過される。上記濾過材は、濾過時に内層フィルタへ濾過残渣が付着し徐々に開き目の閉塞が進行して、該内層フィルタは外側への圧力が作用し、内層フィルタ単独では外側に伸長して破断する危険性があるが、外層フィルタが内層フィルタを支持しその伸長を抑制するため、内層フィルタの破損を防止できる。一方、逆洗時には内層フィルタに濾過残渣が付着しており内層フィルタは内側への圧力が作用するが、支持材が内層フィルタを支持しその過度の収縮を抑制するため逆洗に支障が生じないし、内層フィルタの破損を防止できる。支持材そして外層フィルタは、内層フィルタよりも目開きが大きいので、内層フィルタでの濾過性能に何ら影響をもたらさない。
【００２８】
支持体の製造に際しては、支持体は、両開口端部を製作すると共に、多数の孔部が穿設されたシート材、例えばパンチングメタル材をその側端縁同士で接続して円筒状に作り、長手方向両端の周縁で上記開口端部の外周部に溶接等で接続して一体化して支持体とすることができる。
【００２９】
次に、濾過材は、金属メッシュフィルタのうち、上述の目開きのものを選択しこれらを内層フィルタそして外層フィルタとして採用し、内層フィルタと外層フィルタとを焼結により一体化して、又は、適宜箇所、例えば周縁で溶接等により一体化して、一つの筒状シートとすることができ、支持材への周回配置そして開口端部への取付け保持を容易とする。換言すれば、保守時には、濾過体全体を取り外すことなく、単に濾過材のみを上記開口端部から外せば良い。これは、交換作業が容易になるのみならず、経済的にも有利である。
【００３０】
本発明において、支持体は、支持材外面と濾過材内面との間に０．１〜２．０ｍｍの間隙を設けて濾過材を支持するように、支持材外面と濾過材内面との寸法が設定される。
【００３１】
本発明において、濾過材は、両開口端部のそれぞれの周面に形成された取付溝部に配された緩衝材を介し、両開口端部のそれぞれの周面でクランプバンドにより保持されているようにすることができる。緩衝材とクランプバンドを用いることにより、濾過材の両開口端部に対する取付け時や濾過時そして逆洗時に、濾過材の損傷を防止することができ、また、取付けそして取外しがきわめて容易となる。
【００３２】
＜海水処理装置＞
本発明の海水処理装置は、第七形態として、第六形態の濾過装置と、海水取水ラインと、処理水送水ラインとを有し、海水取水ラインで取水された海水を濾過装置で濾過し、濾過後の濾過水を処理水として処理水送水ラインを経てバラストタンクに送水するようになっていることを特徴としている。
【００３３】
海水処理装置における濾過装置は、バラスト水として取水された水中の生物を捕捉し除去する生物捕捉除去装置として用いられる。かかる海水処理装置は、濾過装置から抜き出された濾過水中に残存する細菌等を殺菌する殺菌装置と組み合わされ、水中の生物を除去、殺滅するバラスト水処理装置として用いられる。なお、バラスト水処理において、濾過装置で水中の生物を捕捉し除去する処理を行う後に施す殺菌処理は、薬剤を用いて行うものに限定されず、紫外線、超音波、温熱などを用いて行うものであってもよい。
【発明の効果】
【００３４】
本発明は、以上のように、濾過装置そしてこれを有する海水処理装置に用いられる濾過体において、軸線方向にて支持体の両端で濾過材を支持し、この両端以外の周面で、支持体外面と濾過材内面との間に０．１〜２．０ｍｍの間隙を形成することとしたので、上記周面全域が濾過面積となり、濾過能力が高くなると共に、濾過材の目詰まりの進行が遅くなるためにその濾過能力が長時間にわたり維持できる。
【００３５】
さらには、筒状をなす濾過体の周部に配される濾過材を、内層フィルタそして外層フィルタの二層で成る金属メッシュフィルタとし、内層フィルタの目開きが濾過目的物を捕捉するのに適した目開きであり、外層フィルタの目開きが内層フィルタの目開きより大きい目開きとし、濾過性能を決定する内層フィルタに対して目開きの大きい外層フィルタで該内層フィルタを支持し、複数の孔部が穿設されている筒状の支持材で該濾過材を支持するならば、内層フィルタでの濾過性能を維持しつつ濾過材の強度を確保でき、さらには、保守時に、濾過体全体を取り外すことなく濾過材のみを容易に取り外すことが可能となる。このような効果が生じる本発明において好ましい金属メッシュフィルタは、内層フィルタの目開きが３０〜１００μｍ、そして外層フィルタの目開きが３００〜３０００μｍである金属メッシュフィルタである。
【図面の簡単な説明】
【００３６】
【図１】本発明の第一実施形態としての濾過装置の部分破断正面図である。
【図２】図１の濾過装置に用いられる複数の濾過体の一つを示す図であり、（Ａ）は分解正面図、（Ｂ）は上端についての拡大断面図、（Ｃ）は（Ａ）におけるC-C断面図である。
【図３】図２の濾過体の濾過材と支持材の斜視図である。
【図４】図１装置における逆洗機構の主要部を示す部分破断斜視図である。
【図５】図１におけるV-V断面図である。
【図６】図２の濾過体に用いられる濾過材を展開状態でその一部について、各層を分離して示す図である。
【図７】本発明の第二実施形態である海水処理装置を示す図である。
【発明を実施するための形態】
【００３７】
＜濾過装置（第一実施形態）＞
図１に示される本実施形態の濾過装置は、鉛直な中心軸線Ｘをもつ有底円筒状の容器本体２へ該容器本体２の上部開口に水密状態で蓋体３が取り付けられた容器１と、上記容器１の上部と下部にて該容器１の内部空間を仕切る平行な二枚の基板４，５と、これらの二枚の基板４，５の間で上方の基板４の下面そして下方の基板５の上面に当接して取り付けられ上下に延びる円筒状の複数の濾過体６と、さらには、上記基板４の上面と基板５の下面に対し摺接回転する逆洗管７，８と、これを回転駆動させる駆動機構９とを備えている。容器１内には上記二枚の基板４，５の間に第一室としての主室１Ａが形成され、上方の基板４の上面側すなわち主室１Ａの上方に第二室としての上室１Ｂが、そして下方の基板５の下面側、すなわち主室１Ａの下方に他の第二室としての下室１Ｃが形成されている。
【００３８】
上記容器１には、周方向の一箇所で上記下室１Ｃに連通するように原水導入管としての海水導入管１０が、そして周方向の他の箇所で後述する受部１４Ａに連通するように逆洗水排出管１１が、さらには底部で下室１Ｃに連通するようにドレイン管１２がそれぞれフランジを介して接続されている。上記海水導入管１０、逆洗水排出管１１そしてドレイン管１２には、第一開閉弁１０Ａ、第二開閉弁１１Ａそして第三開閉弁１２Ａがそれぞれ取り付けられている。さらに、上記容器１には、上下方向中間位置で周方向の一箇所で該主室１Ａに連通するように濾過水排出管１３が接続されている。この濾過水排出管１３には第四開閉弁１３Ａが取り付けられている。
【００３９】
上室１Ｂと下室１Ｃとに仕切る二つの基板４，５は、同一に形成されていて上記中心軸線Ｘに対して同心をなす複数（図１そして図５の例では三つ）の円と上記中心軸線Ｘに向う複数（図５において１２本）の半径線との交点位置に、板厚方向に貫通する通孔４Ａ，４Ｂ，４Ｃ；５Ａ，５Ｂ，５Ｃが形成されている。上記基板４，５の間には、既述のように上記通孔４Ａ，４Ｂ，４Ｃ；５Ａ，５Ｂ，５Ｃのそれぞれに対して連通するように、後述する濾過体６が垂立して取り付けられている。さらに、上記基板４，５は上記軸線Ｘの位置には、中央通孔４Ｄ；５Ｄが形成されており、この中央通孔４Ｄ；５Ｄが連通管２８で接続されている。したがって、第二室としての上室１Ｂと下室１Ｃはこの連通管２８により連通されている。
【００４０】
上方の基板４の上面を摺接回転する逆洗管７と下方の基板５の下面を摺接回転する逆洗管８とは、上記中心軸線Ｘに位置する一端から一つの半径線方向外方で容器本体２の内周面近傍位置に他端を有するように延びている。図１そして図４の例の場合、逆洗管７，８は周方向で１８０°ずれた位置に設けられている。該逆洗管７，８は、上記中心軸線Ｘから通孔４Ａ，４Ｂ，４Ｃ；５Ａ，５Ｂ，５Ｃが位置する各円の半径に等しい距離となる位置に、下方そして上方に向けそれぞれ突出する接続口７Ａ，７Ｂ，７Ｃ；８Ａ，８Ｂ，８Ｃが設けられていて（図４参照）、この接続口７Ａ，７Ｂ，７Ｃが上方の基板４の上面にそして接続口８Ａ，８Ｂ，８Ｃが下方の基板５の下面に摺接する。上記逆洗管７，８は、上記中心軸線Ｘの位置となる一端が開口され、他端が閉じられている。この逆洗管７，８の開口している一端は、中心軸線Ｘ上に位置する連絡管１４に連通するようにして一体的に接続されている。この連絡管１４は上記連通管２８を貫通しているが、この連通管２８の内径と該連絡管１４の外径との間に流通間隙をのこしている。該連絡管１４は上端が閉じられ下端が開口している。該連絡管１４の開口する下端は、容器本体２の底部に設けられた受部１４Ａ内に突入していて、該受部１４Ａの上板に対して回転許容シール１４Ｂを介して水密状態で中心軸線Ｘまわりに相対回転可能に支持されている。該受部１４Ａには既述の逆洗水排出管１１が連通接続されている（図４参照）。
【００４１】
逆洗時には、上記逆洗管７，８は、逆洗水排出管１１を介して容器１外に連通されていて大気圧力下にあり、接続口７Ａ，７Ｂ，７Ｃ；８Ａ，８Ｂ，８Ｃでの圧力が大気圧となっており、通孔４Ａ，４Ｂ，４Ｃ；５Ａ，５Ｂ，５Ｃが接続口７Ａ，７Ｂ，７Ｃ；８Ａ，８Ｂ，８Ｃとそれぞれ接続するとき、濾過体６の外部が濾過水圧を受け内部は大気圧であり、濾過体６の外部の圧力が内部より高くなるので、濾過体外周から濾過水が濾過材を透過して内部に逆洗水として流入し、濾過材内面に付着した濾過残渣が剥離され逆洗されて、逆洗水とともに逆洗水排出管１１を介して容器外へ排出されることとなる。
【００４２】
上記連絡管１４には、駆動機構９が接続されている。該駆動機構９は、容器１の蓋体３の外面に設けられた減速機１５付きのモータ１６と、該減速機１５から垂下して容器１の上室１Ｂへ突入し中心軸線Ｘ上に延びる駆動軸体１５Ａとを有し、該駆動軸体１５Ａの下端が上記連絡管１４の上端と連結されている。かくして、モータ１６の回転が減速機１５で減速されて、上記駆動軸体１５Ａへ伝えられ、上記連絡管１４に一体的接続されている逆洗管７，８が上記中心軸線Ｘまわりに回転するようになる。この逆洗管７，８の回転により、逆洗管７，８の接続口７Ａ，７Ｂ，７Ｃ；８Ａ，８Ｂ，８Ｃは、それぞれ周方向に移動して次々と基板４，５の通孔４Ａ，４Ｂ，４Ｃ；５Ａ，５Ｂ，５Ｃと連通するようになる。
【００４３】
上記上方の基板４の下面そして下方の基板５の上面に対し、通孔４Ａ，４Ｂ，４Ｃ；５Ａ，５Ｂ，５Ｃの位置に取り付けられた濾過体６は、図２（Ａ）、（Ｂ）に見られるように、上端そして下端に位置する短円筒状の端部支持筒１７，１８を長円筒状の支持材１９で連結して形成される支持体２０と、該支持体２０に取り付けられる筒状の濾過材２１と、この濾過材２１の支持体２０への取付けに用いられる取付具としてのクランプバンド２２そして弾性シート材２３とを有している。
【００４４】
上記上下の端部支持筒１７；１８は、上下方向で反転して位置しているが、端部支持筒自体の形態は全く同じである。端部支持筒１７；１８は、基板４；５への取付けのために外周面に環状の凹凸が形成された被取付部１７Ａ；１８Ａと、外周面にクランプバンド２２と弾性シート材２３と当接するための円筒面が形成された連結部１７Ｂ；１８Ｂを有している（下方の連結部１８Ｂは濾過材２１の内側に位置している関係上図２（Ａ）では表われていない）。該端部支持筒１７；１８の内面は開口部１７Ｃ，１８Ｃを形成しており、この開口部１７Ｃ；１８Ｃの内径は基板４；５の通孔４Ａ，４Ｂ，４Ｃ；５Ａ，５Ｂ，５Ｃの内径とほぼ同じである。上記端部支持筒１７；１８、支持材１９そしてクランプバンド２２は、海水で腐蝕しないようにステンレス鋼製又は防食被覆された材料で作られていることが好ましい。かかる端部支持筒１７，１８は連結部１７Ｂ；１８Ｂで、細長い円筒状シートの上記支持材１９と、例えば溶接等により連結されて一体化され支持体２０を形成している。上記端部支持筒１７；１８の円筒面状の連結部１７Ｂ；１８Ｂは、円筒状の支持材１９の軸線方向端部を位置せしめるために上記被取付部１７Ａ；１８Ａに対して段状をなして、安定した位置で溶接等を行えるようにしておくことが好ましい。
【００４５】
上記クランプバンド２２により締め付けられる弾性シート材２３は、ゴムシート等で弾性を有し比較的簡単に屈曲そして弯曲できる材料で作られている。該弾性シート材２３は、本実施形態では、円筒状のゴムシートを円筒軸線方向中間位置で折り返して、二重円筒状とし、後述の濾過材２１の軸線方向端部の周縁を内外から挟むようにして該周縁に取り付けられる。
【００４６】
上記支持材１９は、全面に孔部１９Ａが多数分布して穿設されている比較的薄いパンチングメタルを円筒状に丸め、その側端縁１９Ｂ同士を溶接等で接合して円筒体をなしている。図２（Ａ）では上下方向で中間部の孔部１９Ａの図示が省略されているが該孔部１９Ａは上下端域を除いてほぼ全域に形成されている（図３（Ａ）参照）。この支持材１９は、その上下端周縁で上記端部支持筒１７；１８の連結部１７Ｂ；１８Ｂの周面に当接配置された状態で、溶接等により端部支持筒１７；１８と一体をなすように連結されて一つの支持体２０をなしている。孔部１９Ａの形状は図示のような四角形でもあるいは円形でもよい。上記支持材１９はその軸線方向中間位置に、内部空間を上下で二分する円板状の中間仕切部１９Ｃが取り付けられている。
【００４７】
端部支持筒１７；１８に形成された連結部１７Ｂ；１８Ｂにて、後述の濾過材２１を取り付けるクランプバンド２２は、図２（Ａ），（Ｂ）のごとく、上記連結部１７Ｂ；１８Ｂにそれぞれ収まる幅の弾性金属帯で、一箇所で開放された略リング状（Ｃリング状）をなしており、周方向の一端に突起が、そしてこれに隣接する他端に係止孔が形成されていて、該クランプバンドを後述の濾過材２１の外周に配した後に、突起を係止孔にスナップ状に係止させることで、上記濾過材２１を弾性シート２３を介して上記端部支持筒１７；１８に対して緊締保持する。
【００４８】
濾過材２１は、本実施形態では、金属メッシュフィルタで作られており、該濾過材２１は、図６に見られるような、二種の金属メッシュフィルタを重ねて外層そして内層とし、これを円筒状に丸めると共に、内層と外層とを焼結により一体化して、又は両端周縁部と周方向での接合端縁２４を接合して円筒体として形成される（図２（Ａ）〜（Ｃ）、図３（Ｂ）参照）。
【００４９】
上記金属メッシュフィルタは、外層をなす外層フィルタ２１Ａそして内層をなす内層フィルタ２１Ｂのいずれも、例えば、モネル、ハステロイ、インコネル等のニッケル基合金、チタン、チタン合金、耐海水性ステンレス等の耐海水性の高い耐食金属のいずれかを素材としていて、海水による腐食が生じない。図６に見られるように、濾過材２１の外層フィルタ２１Ａそして内層フィルタ２１Ｂは、好ましい形態として、外層フィルタ２１Ａの目開きが３００〜３０００μｍ、内層フィルタ２１Ｂの目開きが３０〜１００μｍの金属メッシュフィルタとなっている。その際、金属メッシュフィルタを形成する金属素線の太さは、内層フィルタ２１Ｂに比し外層フィルタ２１Ａの方が太くなっている。
【００５０】
このように、外層フィルタ２１Ａそして内層フィルタ２１Ｂを成す二種の金属メッシュフィルタは、内層フィルタ２１Ｂと外層フィルタ２１Ａとを焼結により一体化されて図２そして図３のように円筒状の濾過材２１が形成される。または、二種の金属メッシュフィルタが適切な展開寸法に切断された後、上下縁部２１−１；２１−２が溶接等により接合されて一つのシートを形成し、次に円筒状に丸められてから、その周方向端縁同士を溶接等により接合して接合端縁２４とし、図２そして図３に示す円筒状の濾過材２１を形成するようになる。このように形成することにより、外層フィルタ２１Ａと内層フィルタ２１Ｂの間での相対的たるみ、位置ずれがなくなり、所定の形状そして状態が維持される。また、濾過材２１の支持材１９への外挿を容易に行うことができる。
【００５１】
円筒状の濾過材２１は、上下の端部２５，２６が円筒状の支持材１９の外周面と軸線方向両端位置で接面し、端部２５，２６の両者間の中間円筒部２７は上記支持材１９の外周面と間隙を形成するようになる。この間隙は、少なくとも逆洗時に半径方向で０．１〜２．０ｍｍ程度である。
【００５２】
このように形成された濾過材２１は、図２（Ａ），（Ｂ）のごとく、予め弾性シート等の緩衝材が配された濾過材２１へ支持体２０がその一端側から挿入された後、濾過材２１がクランプバンド２２により、上記端部支持筒１７；１８の周部で緊締保持される。また、端部支持筒１７と端部支持筒１８との間の中間位置でも、例えば、上下方向で中間仕切部１９Ｃの位置で支持材１９の外周面に環状部材を介在させることで、上記濾過材２１は支持材１９との間に間隙を保ちつつ上記クランプバンド２２により支持材１９に対し緊締保持されることが望ましい。こうすることで、上記間隙を濾過体６の全長にわたり、より確実に確保できる。このようにして構成された濾過体６は、その端部支持筒１７；１８の被取付部１７Ａ，１８Ａにて、それらの開口部１７Ｃ；１８Ｃが、基板４の通孔４Ａ，４Ｂ，４Ｃ；５Ａ，５Ｂ，５Ｃと一致する位置で、上記基板４；５へ着脱容易状態に取り付けられる。
【００５３】
このように構成された本実施形態の濾過装置は、次の要領で濾過・逆洗そして保守がなされる。
【００５４】
＜濾過及び逆洗時＞
先ず、第一、第二、第四開閉弁１０Ａ，１１Ａ，１３Ａを開放そして第三開閉弁１２Ａを閉じて、原水、例えば、濾過前の海水を海水導入管１０から容器１内へ原水として導入する。この原水は、図１にて実線矢印で示されるように、容器１の下室１Ｃに入った後、連通管２８を経て上室１Ｂにも流入する。濾過体６は中央仕切部１９Ｃにて内部空間が二分されているので、下室１Ｃ内の原水は基板５の通孔５Ａ，５Ｂ，５Ｃを経て対応する濾過体６の下部空間内に流入する。また、上室１Ｂ内の原水は基板４の通孔４Ａ，４Ｂ，４Ｃを経て対応する濾過体６の上部空間内に流入する。濾過体６の上部空間そして下部空間へ流入した原水は、濾過体６の周部をなす支持材１９の孔部１９Ａと濾過材２１を透過して濾過体６外の主室１Ａへ至る。その際、原水は濾過材２１で濾過され、濾過水として濾過水排出管１３から容器１外へ流出する。
【００５５】
上記原水の濾過時には、逆洗機構９の駆動軸体１５Ａが減速機１５付きモータ１６からの駆動力を受けて回転しており、上室１Ｂにおける逆洗管７は、接続口７Ａ，７Ｂ，７Ｃが上方の基板４の上面と摺接しながら、そして下室１Ｃにおける逆洗管８は、接続口８Ａ、８Ｂ，８Ｃが下方の基板５の下面と摺接しながら、ともに上記中心軸線Ｘまわりに回転している。したがって、逆洗管７の接続口７Ａ，７Ｂ，７Ｃは回転移動しながら、上方の基板４の通孔４Ａ，４Ｂ，４Ｃと次々と間欠的に連通するようになり、逆洗管８の接続口８Ａ、８Ｂ，８Ｃは下方の基板５の通孔５Ａ，５Ｂ，５Ｃと次々と間欠的に連通するようになる。したがって、この逆洗管７の接続口７Ａ，７Ｂ，７Ｃと連通している基板４の通孔４Ａ，４Ｂ，４Ｃと、逆洗管８の接続口８Ａ、８Ｂ，８Ｃと連通している基板５の５Ａ，５Ｂ，５Ｃには上室１Ｂ、下室１Ｃからの原水が流入できず、逆に、主室１Ａ内の濾過水の一部が、逆洗水として逆洗管７，８に対応して位置する濾過体６の周部たる濾過材２１そして支持材１９の孔部１９Ａを透過し中央仕切部１９Ｃで仕切られた該濾過体６の上部空間そして下部空間内へ流入する。その際、濾過体６内へ流入する逆洗水は、濾過時に上記濾過材２１の内面に付着した濾過残渣を該周部から剥離、すなわち逆洗してこの濾過残渣と共に逆洗管７，８へ流入する。この濾過残渣を伴う逆洗水は連絡管１４内を流れ該連絡管１４の下端開口から受部１４Ａを経て逆洗水排出管１１に至り、該逆洗水排出管１１から容器１外へ排出される。かくして、容器１内では、原水が濾過されつつ、濾過水の一部を用いて、常時、濾過体６が順次逆洗されている。
【００５６】
本実施形態では、濾過材２１を支持する支持材１９と該濾過材２１との間には、軸線方向での全長にわたり、半径方向間隙が全周に及んで形成されているので、濾過材２１と支持材１９は殆ど全域で密着しないので、濾過時には、濾過材２１に形成された濾過面の全面が濾過に寄与し、濾過面積として有効に機能する。
【００５７】
また、逆洗時に中間仕切部近傍は逆洗水の流れの勢いが小さく十分な逆洗浄が行えず濾過材に濾過残渣が残り目詰まりが生じるという問題に対して、本実施形態では、支持材１９と該濾過材２１との間に半径方向間隙が形成されているので、中間仕切部近傍で支持材１９と濾過材２１との間を流れる連通流が十分に形成され、逆洗水の流れの勢いを補う流れを十分に生じさせ効率的な逆洗浄を行うことができる。特に、中間仕切部近傍での連通流が濾過材２１の内面直近でかつ濾過材２１の内面全周で流れるため、連通流により逆洗水の流れの勢いを補う流れを生じさせ逆洗浄性能を補う効果が高い。また、本実施形態では、濾過体６の構造が単純であり、製造コストを低くすることができる。
【００５８】
＜保守時＞
濾過装置の保守点検の際には、蓋体３と上方の基板４を外して濾過体６を露呈せしめた状態で特定のあるいは全部の濾過体６を基板５から外して外部へ取り出すことで状況確認あるいは濾過材２１の交換等が行われる。また、一括してすべての濾過体６を容器外に取り出したいときには、基板５と共に組立体として取り出すこともできる。
【００５９】
濾過体６における濾過材２１の交換は、濾過体６のクランプバンド２２を外すことで容易に行える。また、容器１内の洗浄は、第一、第二そして第四開閉弁１０Ａ，１１Ａ，１３Ａを閉じ第三開閉弁１２Ａを開放状態で行われ、洗浄後の液はドレイン管１２から排出される。
【００６０】
＜海水処理装置（第二実施形態）＞
本発明に係る濾過装置により海水を処理する海水処理装置の実施形態について説明する。本実施形態では、海水処理装置である濾過装置は、バラスト水として取水された海水中の生物を捕捉し除去する生物捕捉除去装置として用いられ、濾過装置から抜き出された濾過水中に残存する細菌等を殺菌する殺菌装置と組み合わされバラスト水処理装置を構成する。以下、添付図面の図７にもとづいて、本発明に係る海水処理装置を用いるバラスト水処理装置について、一例を具体的に説明する。
【００６１】
図７はバラスト水処理装置を示す構成図である。バラスト水処理装置は、図７に示すように、海水を船内に取り込むための海水取水ライン４１、該海水取水ライン４１によって取水された海水中の粗大物を除去する粗濾過装置４２、海水を取り込み後述の濾過装置４４に送水するためのポンプ４３、粗濾過装置４２によって粗大物が除去された海水中に存在するプランクトン類を除去する濾過装置４４、濾過装置４４で濾過された海水中に残存する細菌類やプランクトンを殺滅する殺菌装置４５、殺菌装置４５から排出された処理水を後述のバラストタンク４７に送水する処理水送水ライン４６、該処理水送水ライン４６から送水される処理水または未処理の海水を貯留するバラストタンク４７、該バラストタンク４７内の処理済みのバラスト水を海に排水するバラスト水排水ライン４８、を備えている。殺菌装置は、殺菌剤を供給する装置でも、紫外線、超音波、温熱などを用いて殺菌するものであってもよい。
【００６２】
以下、各装置をさらに詳細に説明する。
【００６３】
（１）粗濾過装置
粗濾過装置４２は、船舶の船側部に設けられたシーチェスト（海水吸入口）から取水され、ポンプ４３によって海水取水ライン４１を通して取水される海水中に含まれる大小様々な夾雑物、水生生物のうち１０ｍｍ程度以上の粗大物を除去するためのものである。
粗濾過装置としては１０ｍｍ程度の孔を設けた筒型ストレーナ（こし器）、水流中の粗大物を比重差により分離するハイドロサイクロン、回転スクリーンにより粗大物を捕捉し掻揚げ回収する装置等を用いることができる。
【００６４】
（２）濾過装置
濾過装置としては、第一実施形態の濾過装置を海水処理用として用いる。濾過装置４４は粗濾過装置４２によって粗大物が除去された海水中に存在するプランクトン類を除去するものである。濾過装置４４に用いられる濾過材は、内層と外層から成る金属メッシュフィルタで形成され、内層フィルタの目開きが３０〜１００μｍのものが好ましい。
【００６５】
内層フィルタの目開きを３０〜１００μｍにした理由は、動物性プランクトン、植物性プランクトンの捕捉率を一定のレベルに保ちつつ逆洗頻度を少なくして寄港地でのバラスト水処理時間を短縮するためである。換言すれば、目開きが１００μｍより大きいと動物プランクトン、植物プランクトンの捕捉率が著しく低くなるし、目開きが３０μｍより小さいと逆洗頻度が多くなり寄港地でのバラスト水処理時間が長くなるので好ましくない。このように目開きが３０〜１００μｍ程度のものを用いるのが、捕捉率と逆洗頻度とを最適に設定できるので、好ましい。
【００６６】
濾過材の内層フィルタの目開きが３０〜１００μｍ程度の濾過装置により、比較的大型の動物性プランクトンと植物性プランクトンをほとんど捕捉して除去するので、殺菌装置よって死滅させる対象は捕捉されなかったプランクトンと細菌となる。そのため、殺菌装置が殺菌剤を供給する装置である場合には、濾過装置を用いずに単に殺菌剤を注入して海水中の全てのプランクトンと細菌を死滅させる方式に比べて、殺菌剤の使用量を大幅に減少させることが可能になる。その結果、殺菌剤費用を低減でき、さらに殺菌剤貯留槽を小さくできるので、船舶への搭載が容易になる。また、残留殺菌剤の環境への影響を減らし、また殺菌剤を無害化するために供給する分解剤の供給を不要にあるいは減らすことができる。また、紫外線、超音波、温熱などを用いて殺菌する殺菌装置の場合には、殺菌装置の負荷を軽減でき、装置を小型化、殺菌処理時間の短縮、殺菌処理費用の低減ができる。
【００６７】
（３）殺菌装置
殺菌装置４５は濾過装置４４によって濾過された海水中に残存する細菌類やプランクトンを殺滅する装置である。殺菌装置としては殺菌剤を供給する装置があり、供給する殺菌剤としては、次亜塩素酸ナトリウム、塩素、二酸化塩素、ジクロロイソシアヌル酸ナトリウム、過酸化水素、オゾン、過酢酸、またはこれらの２種以上の混合物が使用できるが、これ以外の殺菌剤を使用することも可能である。また、殺菌装置としては、紫外線、超音波、温熱などを用いて殺菌するものであってもよい。
【００６８】
次に、以上のように構成された本実施例のバラスト水処理装置の動作を説明する。ポンプ４３を稼動することによって、海水取水ライン４１から海水が船内に取水される。その際、まず粗濾過装置４２によって海水中に存在する大小様々な夾雑物、水生生物のうち１０ｍｍ程度以上の粗大物が除去される。粗大物が除去された海水は濾過装置４４に供給され、濾過装置４４の濾過材の目開きに応じた大きさの動物性プランクトン、植物性プランクトン等が除去される。
【００６９】
粗濾過装置４２及び濾過装置４４で捕捉されたプランクトン等は、粗濾過装置４２及び濾過装置４４の濾過材を逆洗することにより洗い流されて海に戻される。海に戻しても同一の海域なので生態系に悪影響はない。つまり、この例ではバラスト水を積み込む際に処理をしているので、粗濾過装置４２及び濾過装置４４の逆洗水をそのまま放流できるのである。濾過装置４４で濾過された海水には殺菌装置４５から殺菌剤が供給されるなど殺菌処理が施される。殺滅処理後の海水は処理水送水ライン４６を通じてバラストタンク４７にバラスト水として貯留される。バラスト水を排出する際には、バラストタンク４７からバラスト水排水ライン４８により海中に排出される。
【００７０】
なお、上記の例は海水をバラストタンク４７に積み込む際に処理を行う場合であるが、海水をバラストタンク４７に積み込む際には殺滅処理をしないで、バラストタンク４７から排出する際に殺滅処理する場合もある。この場合は、未処理の海水を未処理海水送水ライン（図示せず）を通じてバラストタンク４７に貯留し、バラストタンク４７から排出する際にバラストタンク４７内の未処理のバラスト水を未処理バラスト水供給ライン（図示せず）を通じて、濾過装置４４側に供給して、以降は上記と同様の殺滅処理を行い、処理済みのバラスト水を処理水排水ライン（図示せず）を通じて、海に排水する。
【００７１】
以上のように、本実施例においては、濾過装置４４で３０〜１００μｍ以上の動物性プランクトン、植物性プランクトンを除去し、殺菌装置により細菌類やプランクトンを死滅させるようにしたので、どのような水質であっても確実かつ安価にＩＭＯが定めるバラスト水基準を満たすバラスト水の処理が実現できる。また、装置の構成が単純であることから、既存船舶への適用が容易である。
【符号の説明】
【００７２】
１  容器
１Ａ  主室
１Ｂ  第一室（上室）
１Ｃ  第二室（下室）
４  基板
４Ａ，４Ｂ，４Ｃ  通孔
４Ｄ  中央通孔
５  基板
５Ａ，５Ｂ，５Ｃ  通孔
５Ｄ  中央通孔
６  濾過体
７  逆洗管
８  逆洗管
９  逆洗機構
１０  原水導入管（海水導入管）
１２  逆洗水排出管
１３  濾過水排出管
１７  端部支持筒
１７Ｃ  開口部
１８  端部支持筒
１８Ｃ  開口部
１９  支持材
２０  支持体
２１  濾過材
２１Ａ  外層フィルタ
２１Ｂ  内層フィルタ
２８  連通管
４１  海水処理ライン
４４  濾過装置
４６  処理水送水ライン
４７  バラストタンク
【図１】
2014004571.tif 000003
【図２】
2014004571.tif 000004
【図３】
2014004571.tif 000005
【図４】
2014004571.tif 000006
【図５】
2014004571.tif 000007
【図６】
2014004571.tif 000008
【図７】
2014004571.tif 000009